(57)【要約】【課題】  各カラオケメディアの演奏待ち時間の少ない、運用効率の高いカラオケ装置を提供することを目的とする。【解決手段】  複数の演奏装置を備え、端末装置からの、リクエスト曲に対応し且つ演奏装置に対応する曲番であって前記演奏装置毎に異なる曲番を含んだリクエストに応答するカラオケ装置であって、前記複数の演奏装置がそれぞれ演奏可能な曲の曲番と、当該曲と同一曲の曲番であって他の演奏装置の曲番と、の関連付けを示すと共に、一部又は全部の前記演奏装置について曲名等の曲情報が前記曲番と共に記憶されたマップを記憶する手段と、前記端末装置からのリクエストを受信する手段を備え、前記リクエストに応じて前記マップを参照し、前記リクエストに含まれる曲番に対応する演奏装置に対する曲情報がある場合はその曲情報を読出し、前記リクエストに含まれる曲番に対応する演奏装置に対する曲情報が無い場合で且つ他の演奏装置に対する曲情報がある場合にはその曲情報を読出して前記端末装置に送出する。【選択図】  図１
2004355008.tif 000002
【特許請求の範囲】
【請求項１】
複数の演奏装置を備え、端末装置からの、リクエスト曲に対応し且つ演奏装置に対応する曲番であって前記演奏装置毎に異なる曲番を含んだリクエストに応答するカラオケ装置であって、
前記複数の演奏装置がそれぞれ演奏可能な曲の曲番と、当該曲と同一曲の曲番であって他の演奏装置の曲番と、の関連付けを示すと共に、一部又は全部の前記演奏装置について曲名等の曲情報が前記曲番と共に記憶されたマップを記憶する手段と、
前記端末装置からのリクエストを受信する手段を備え、
前記リクエストに応じて前記マップを参照し、前記リクエストに含まれる曲番に対応する演奏装置に対する曲情報がある場合はその曲情報を読出し、前記リクエストに含まれる曲番に対応する演奏装置に対する曲情報が無い場合で且つ他の演奏装置に対する曲情報がある場合にはその曲情報を読出して前記端末装置に送出することを特徴とするカラオケ装置。
【請求項２】
請求項１に記載のカラオケ装置において、
前記曲情報は曲番以外の情報であることを特徴とするカラオケ装置。
【発明の詳細な説明】
【技術分野】
【０００１】
本発明は、複数の演奏装置を備え、複数の端末からのリクエストに応答して演奏するカラオケ装置に関する。
【背景技術】
【０００２】
従来複数の客室を備えたカラオケ店においては、リクエストに応じてカラオケの演奏信号を再生するカラオケ演奏装置は通常、客室とは別の部屋にセンタとして設置し、各客室にはディスプレイ、スピーカ、アンプ、マイク及びリクエストを入力するためのリモコンと、このリモコンからの信号を受信してカラオケ演奏装置に伝送するための端末装置のみを設置するいわゆる集中管理方式が採用されている。
【０００３】
このような集中管理方式により、各客室にカラオケ演奏装置を設置する必要がなくなり、また多彩なカラオケメディアによるカラオケ演奏装置を各客室で共有して使用することが可能である。カラオケメディアには、レーザディスク（以下ＬＤという）、映像付きコンパクトディスク（以下ＶＣＤという）、通信カラオケ等があり、カラオケ店では、それらの特質や客室数を考慮してそれぞれの設置台数を決める。
【０００４】
ＬＤカラオケは、ＬＤを記録媒体に使用したものであり、曲ごとに歌詞付きの背景映像と伴奏が記録されており、背景映像として曲にマッチした動画を提供できるものである。また、ＶＣＤカラオケは、曲ごとに音声と共に歌詞及び静止画又は動画の背景映像が提供できるものである。
【０００５】
また、通信カラオケは、センタから公衆回線等を介し、伴奏の音声を生成するためのＭＩＤＩ（Musical Instrument Digital Interface） コード等による演奏データ及び歌詞の文字を生成するための歌詞データ等を含んだ楽曲データを複数のカラオケ店に配信するようにしたものであり、ＬＤやＶＣＤのような記録媒体の量産工程が不要なため、新曲の配信が迅速にできる。
【０００６】
カラオケ店の通信カラオケ演奏装置は、この配信された楽曲データをハードディスク（以下ＨＤという）に蓄積し、演奏時に演奏データを読出すことによりＭＩＤＩ音源と呼ばれる一種の波形発生回路を制御して伴奏の音声信号を生成すると共に、歌詞データに基づいて歌詞の文字を生成し、背景映像と共に表示する。
【０００７】
この背景映像は、通信カラオケ演奏装置に付属の背景映像専用のＬＤプレーヤによって生成される。ただし、背景映像は、曲ごとではなく、例えば曲のジャンルやテーマ、季節等の特徴に即した８０パターン程度の映像が用意されたものであり、複数の曲で共用される。この背景映像の選択は、楽曲データに含まれる背景コードによってなされる。
【０００８】
また、ＨＤは、アクセスは速いが記憶容量に限りがあるので（例えば４千曲分）、一定の期間が経った新曲や古い曲については４千曲程度の単位でまとめられ、その演奏データがＣＤ−ＲＯＭの形で供給される。これにより、ＨＤと例えば５枚のＣＤ−ＲＯＭとを備えることにより、約２万４千曲が演奏可能となる。これら各種のカラオケメディアには、客が曲を選択してリクエストするために収録曲の曲番を掲載した早見帳がそれぞれ用意されており、各客室に配置される。
【０００９】
ここで、これら多様なカラオケメディアはメーカやメディア間で競合し、共存するものであり、編集者による収録曲の多少の偏りや規模の違いによる収録曲数の差はあるにしても、収録曲の大半は重複している場合が多い。そして各背景映像や伴奏はそれぞれ特徴があり、客は好みに応じて選択できる。
【００１０】
また、この場合、曲番のフォーマット、例えば桁数はメディアごとに異なっているのが普通であり、同一曲であってもメディア間において番号の関連性は無い。また、システムとして客室に１つまたは複数配置されるリモコンは、システム用としてのリモコン一種類であるが、端末装置又はセンタの制御装置がリクエスト入力のフォーマットと曲番を判別し、指定のカラオケメディアでリクエスト曲を演奏させることができる。
【００１１】
このような集中管理方式のカラオケシステムには、以下のようなスクロール機能や曲情報表示等が備えられている。先ず、スクロール機能について説明する。上述したカラオケシステムにおいて、あるカラオケメディアである曲が演奏中に、他室から同一のものがリクエストされた場合に、同一曲を有する他のカラオケメディアにリクエストを所定の優先順位で転換するスクロール機能と呼ばれる機能が備えられている。
【００１２】
この機能によれば、所望の演奏形態が得られないことになるが、現在演奏中のものが終了するまで待たされることが無くなる。この機能を実行するため、センタの制御装置には各カラオケメディアが有する曲番のリスト間で同一曲のもの示す同曲マップと呼ばれる一種の互換表が記憶されている。なお、各カラオケメディアが有する曲番のリストはそれぞれのメディア会社が作成するか、カラオケ店において新曲が配信や配布されるごとにシステムに入力する。また、同曲マップはカラオケシステムのメーカまたは運営会社が作成して供給する。
【００１３】
次に、曲情報表示について説明する。上記曲番リストには、カラオケメディアによってはリクエスト時に曲名や歌手名などの曲情報を表示させるために、これらの情報を曲番と共に記録させているものがある。これにより、リクエスト者はその表示を見ることにより、確実にまた快適にリクエストを行なうことができる。
【発明の開示】
【発明が解決しようとする課題】
【００１４】
以上のような従来のカラオケシステムでは、カラオケ客は曲をリクエストするに当り、いずれかのカラオケメディアの早見帳を選んで行なう。この場合、上述のような各メディアの特徴によって選択することになるが、概して新曲のリリースが早く曲数が比較的多い通信カラオケの人気が高い。このような場合には、通信カラオケに対して多くの客室からリクエストが来ることになるが、他のメディアにもある新曲以外の曲のリクエストが通信カラオケに集中したような場合は、通信カラオケにしかない新曲のリクエストをした客は、長い時間待たされることになる。これにより、カラオケシステム全体の運用効率が低下してしまう。
【００１５】
また、曲名や歌手名の情報を備えていないカラオケメディアにリクエストした場合には、曲名や歌手名を表示することができない。すると、仮に客がリクエスト曲の番号を誤って入力した場合に、入力した番号がディスプレイに表示されたとしても、実際にその曲が演奏開始されるまで、客は誤りに気付かない場合が多く、演奏が開始されてからその曲をキャンセルする等の行為が行われるので、その間は、他の客は、演奏中のカラオケメディアにおける他の演奏曲を利用することができない。このように、不要な曲が予約されて演奏されることにより、カラオケシステム全体の運用効率が低下してしまう虞がある。
【００１６】
本発明は上述の問題点に鑑みなされたものであり、各カラオケメディアの演奏待ち時間の少ない、運用効率の高いカラオケ装置を提供することを目的とする。
【課題を解決するための手段】
【００１７】
請求項１記載の発明は、複数の演奏装置を備え、端末装置からの、リクエスト曲に対応し且つ演奏装置に対応する曲番であって前記演奏装置毎に異なる曲番を含んだリクエストに応答するカラオケ装置であって、前記複数の演奏装置がそれぞれ演奏可能な曲の曲番と、当該曲と同一曲の曲番であって他の演奏装置の曲番と、の関連付けを示すと共に、一部又は全部の前記演奏装置について曲名等の曲情報が前記曲番と共に記憶されたマップを記憶する手段と、前記端末装置からのリクエストを受信する手段を備え、前記リクエストに応じて前記マップを参照し、前記リクエストに含まれる曲番に対応する演奏装置に対する曲情報がある場合はその曲情報を読出し、前記リクエストに含まれる曲番に対応する演奏装置に対する曲情報が無い場合で且つ他の演奏装置に対する曲情報がある場合にはその曲情報を読出して前記端末装置に送出することを特徴とする。
【発明を実施するための最良の形態】
【００１８】
次に、本発明に好適な実施形態について図面を参照しつつ以下に説明する。図１は、本発明の一実施形態におけるカラオケシステムの概略構成ブロック図である。同図において、センタ装置１と複数の端末装置２1 〜２n （ｎは２以上の整数）とがケーブル３によって接続されている。センタ装置１は本カラオケシステムが備えられた建物内のコントロール室に設置され、端末装置２1 〜２n はその建物内の各部屋に設置されている。
【００１９】
センタ装置１にはマイクロコンピュータからなるセンタコントローラ１１が設けられ、センタコントローラ１１には複数の演奏装置１２1 〜１２m （ｍは２以上の整数）が接続されている。また、センタコントローラ１１は、同じくセンタ装置１に備えられたＦＤ（フロッピーディスク）読取装置２９によって、フロッピーディスクに記録された同曲リストデータ３０及び、複数の演奏装置１２1 〜１２m の各演奏装置に対応する各フロッピーディスクに記録された各演奏装置が再生可能な曲データ（曲番号、曲名、歌手名等に関するデータ）３１を読取って得られた曲情報に関するデータを、予めマップメモリ３２に記憶するように制御する。
【００２０】
ここで、同曲リストデータ３０とは、例えば図２に示すように、複数の演奏装置１２1 〜１２m に対応し、各演奏装置が有するそれぞれ演奏可能な曲データ３１1 〜３１m のうち同一曲の曲データ（曲番号、曲名、歌手名等に関するデータ）を各演奏装置に関連付けて検索可能に生成されたデータであり、センタコントローラ１１は、１つの端末装置によってある演奏装置に対応する曲番によって１つのリクエスト曲が演奏指定された場合に、予めマップメモリ３２に各演奏装置に対応して記憶してある曲データ３１を同曲リストデータ３０に基づいて検索し、予め演奏順が優先指定された演奏装置から順にリクエスト曲と同一曲が演奏可能か否か（即ち、演奏中もしくは演奏予約中、か否か）を判断して、演奏可能ならば、演奏可能な演奏装置の中で優先順位の一番高い演奏装置を選択して、リクエスト曲と同一曲を演奏するように制御し、演奏可能な演奏装置がなければ、演奏すべき演奏装置が使用可能となるまで待機する待ち管理を行う。
【００２１】
また、図１において、センタコントローラ１１に接続する演奏装置１２1 〜１２m は、例えば１２1 がＬＤ演奏装置、１２2 が通信カラオケ（Ａ社）、１２mがＶＣＤ演奏装置といったように、異なる複数のカラオケメディアの中から適宜選択されたｍ個のカラオケメディアで構成され、対応するＬＤ、ＶＣＤ等のメディアを再生するものであり、各演奏装置はそれぞれ単一の出力ポートが設けられていて、１の演奏装置の演奏時にはそれに対応する出力ポートからビデオ信号及びオーディオ信号が出力される。
【００２２】
演奏装置１２1 〜１２m 各々の出力ポートには変調器１３1 〜１３m が接続されている。変調器１３1 〜１３m 各々はキャリア信号を演奏装置からのビデオ信号及びオーディオ信号によって変調し、例えば、ＮＴＳＣ方式のテレビジョン信号に生成する。変調器１３1 〜１３m 毎にキャリア信号の周波数は異なっており、伝送チャンネル番号が設定されている。すなわち、演奏装置１２1 〜１２m毎に異なる伝送チャンネルが定められ、演奏装置１２1 〜１２m と伝送チャンネルＣＨ1 〜ＣＨm とが対応している。
【００２３】
また、変調器１３1 〜１３m にはＲＦ（高周波）ミキサ１４が接続されている。また、ＲＦミキサ１４にはデータモデム１５を介してセンタコントローラ１１が接続されている。このデータモデム（データ変復調器）１５は、各端末装置２1 〜２n と双方向のデータ通信を行なうために設けられていて、端末装置２1〜２n からＲＦミキサ１４を介して供給されるＲＦ信号からデータ信号を復調すると共に、センタコントローラ１１がマップメモリ３２に予め記憶された曲情報３３1 に関するデータに基づいて出力するデータ信号や、端末装置が同調すべき伝送チャンネルを指示するデータ信号に対する変調動作を行って下り制御チャンネルのＲＦ信号を生成しＲＦミキサ１４に出力する。
【００２４】
また、ＲＦミキサ１４は、各変調器及びデータモデム２１、１５から送出された各ＲＦ信号を下り及び上りで個別に周波数変換して広帯域信号とし、各広帯域信号は適宜ケーブル３に出力される。ここで、下りとはセンタ装置１から端末装置２1 〜２n に伝送されることであり、上りとはその逆である。下り及び上りの各広帯域信号の周波数帯は当然異なる。
【００２５】
一方、端末装置２1 〜２n は全て同一の構成であるので、図１では端末装置２1 の構成を具体的に示している。この端末装置２1 においては、データモデム２１及びコンバータ２２がケーブル３に接続される。データモデム２１はケーブル３を介して供給された信号中の所定周波数のＲＦ信号からデータ信号を復調すると共に、端末コントローラ２３からのデータ信号に対する変調動作を行なって上り制御チャンネルのＲＦ信号を生成してケーブル３に供給する。コンバータ２２はケーブル３を介して供給された信号中から、所望のあるいはセンタ装置１から指示された伝送チャンネルのＲＦ信号を抽出してそのＲＦ信号からビデオ信号及びオーディオ信号を復調する。このビデオ信号はＴＶモニタ２４に供給され、オーディオ信号はアンプ２５を介してスピーカ装置２６に供給される。アンプ２５にはマイクロホン２７が接続されている。
【００２６】
端末コントローラ２３はマイクロコンピュータを備えており、ワイヤレス入力装置２８からのリクエスト曲の曲番を示す無線信号を受け入れ、その無線信号に応じてセンタ装置１のセンタコントローラ１１に対するデータ信号を生成してデータモデム２１に供給する。また、端末コントローラ２３はセンタコントローラ１１から送出されたデータ信号をデータモデム２１から得てそれを解析して制御動作する。
【００２７】
例えば、受信すべき伝送チャンネルの番号を示すデータ信号がセンタコントローラ１１から供給された場合にはその伝送チャンネルのＲＦ信号を受信するようにコンバータ２２の受信チャンネルを制御する。ワイヤレス入力装置２８はキーボードを有し、ユーザによるキー操作によりリクエスト曲の曲番を得てその曲番を示す無線信号を所定のフォーマットにて生成する。端末コントローラ２３とワイヤレス入力装置２８との間では例えば、赤外線を用いた送受信動作が行なわれ、ワイヤレス入力装置２８には送信器（図示せず）が設けられ、端末コントローラ２３には受信器（図示せず）が備えられている。
【００２８】
本発明の一実施形態におけるカラオケシステムは、以上のように構成され、各端末装置がセンタ装置１に接続されて各部屋に設置された端末装置のワイヤレス入力装置２８からそれぞれ個別にリクエストされた曲番に対応するデータが入力された場合に、各端末装置からリクエスト曲に対応する曲番に関するデータ信号を搬送するＲＦ信号が、共通に接続されたケーブル３を介して、センタ装置１に供給され、センタ装置１１が有するセンタコントローラ１１は、ＲＦミキサ１４、データモデム１５を介して各端末装置から順次供給されるリクエスト曲に対応する曲番に関するデータ信号を受け、マップメモリ３２に予め記憶された同一曲に関するデータ及び、センタコントローラ１１が予め記憶している演奏装置の優先順位に基づいて演奏装置を選択し、選択された演奏装置の再生制御が行われ、リクエストされた曲が演奏される。
【００２９】
また、センタコントローラ１１は、データモデム１５、ＲＦミキサ１４、ケーブル３を介して該当曲のリクエストを行った端末装置に曲情報を含むＲＦ信号を順次送出するように制御することにより、該当する端末装置側ではＴＶモニタ２４にリクエストした曲の曲情報が表示される。
【００３０】
なお、選択すべき演奏装置が現在使用中か予約中（次曲の演奏が既に割り当てられている）の場合には、センタコントローラ１１は、マップメモリ３２に記憶する各演奏装置に関する曲データ３１の中から更に同一曲を有する他の演奏装置を同曲リストデータ３０に基づいて予め設定された優先順位に従って検索し、検索結果に応じて、現在使用中でない他の演奏装置で同一曲の演奏を行う。また、同一曲を有する演奏装置がすべて演奏中か予約中の場合には、そのリクエストを待ち行列に登録し、待ち管理を行う。
【００３１】
次に、本発明の一実施形態におけるカラオケシステムにおいて、１つの端末装置からある曲がリクエストされた場合において、センタ装置１のセンタコントローラ１１が行う演奏装置の選択動作について、図３のフローチャートに基づいて以下に説明する。
【００３２】
図３において、先ず、１つの端末装置からある曲がリクエストされた場合、センタ装置１には、リクエスト曲に対応する曲番に関するデータ信号が変調された上り制御チャンネルのＲＦ信号が、ケーブル３を介して供給され、センタコントローラ１１が、ＲＦミキサ１４、データモデム１５を介してこのデータ信号を受信する（ステップＳ１）。
【００３３】
次に、センタコントローラ１１は、予め設定された各演奏装置の優先順位にしたがって、最も優先順位の高い演奏装置を選択する。なお、図２に示すように、同一曲に対する曲番は演奏装置ごとに異なっており、リクエストは、曲と同時に演奏装置の指定も示している。しかしながら本発明においては、これにかかわらず、最も優先順位の高い演奏装置が選択される。この優先順位は、例えば、演奏可能な曲数をより多く保持する演奏装置や、所定期間のカラオケ装置の利用状況を調べた場合におけるリクエストの多い演奏装置ほど低く設定することなどで形成される（ステップＳ２）。
【００３４】
次に、センタコントローラ１１は、ステップＳ３に移行して、先のステップＳ２にて選択された演奏装置が保持する曲データ中にリクエスト曲と同一曲が有るか否かを、マップメモリ３２に記憶された曲データ３１を同曲リストデータ３０に基づいて検索し（ステップＳ３）、同一曲が有る場合は、ステップＳ４に移行してその演奏装置が演奏可能か否か（即ち、演奏中もしくは演奏予約中か否か）を判断し、演奏可能ならば、ステップＳ５に移行して、その演奏装置でリクエスト曲と同一曲を演奏するように制御する。
【００３５】
また、ステップＳ３において、先のステップＳ２にて選択された演奏装置が保持する曲データ中にリクエスト曲と同一曲が無い場合、又は、同一曲があっても先のステップＳ２にて選択された演奏装置が使用可能でない場合（ステップＳ４においてＮｏの場合）には、いずれもステップＳ６に移行して、全ての演奏装置についてステップＳ３、又はステップＳ３及びＳ４の判断を行ったか否かを確認し、まだ全ての演奏装置について判断していない場合には、ステップＳ７に移行して次の優先順位を有する演奏装置を選択し、その後再びステップＳ３に移行し、先に述べた動作を繰り返す。
【００３６】
また、ステップＳ６において、全ての演奏装置についてステップＳ３又はステップＳ４のいずれかの判断が終了したと確認された場合には、ステップＳ８に移行し、演奏可能な演奏装置が使用可能となるまで待機する待ち管理を行う。この待ち管理は、リクエストを待ち行列として登録することにより行い、いずれかの演奏装置の演奏が終了する度にリクエストの早く到来したものから順に図３のフローチャートを実行していくことにより行う。
【００３７】
また、待ち行列の曲数が所定数以上になった場合には、「ただいま混雑しています。」等のメッセージを下り制御チャンネルのＲＦ信号を用いてリクエストを行った端末装置に供給して、ＴＶモニタ２４に表示したり、スピーカ装置２６を通じて音声出力する等して、リクエスト者に告知するようにしても良い。あるいは、他の曲をリクエストするようリクエスト者に促すようにしても良い。
【００３８】
リクエスト曲に対する演奏装置の選択制御動作は以上のようにして行われるが、実際の装置においては、例えば切替えスイッチ等を設けて、従来のスクロール機能による演奏装置の選択動作と適宜切替えることが可能に構成することにより、カラオケ装置を使用する店の選択肢を広げるようにしても良い。
【００３９】
また、本発明の一実施形態におけるカラオケシステムでは、先に述べたように１つの端末装置からある曲がリクエストされた場合、センタコントローラ１１によって、リクエスト曲に対応する曲データが端末装置に供給されるように制御されるので、例えば端末装置が有するＴＶモニタ２４によって曲名、歌手名等が表示可能となる。
【００４０】
図４は、これらの曲データをセンタコントローラ１１が端末装置に供給する動作、及び、端末装置が行う曲データの表示動作を示す動作フローチャートであり、以下にこれらの動作を説明する。
【００４１】
図４において、先ず、１つの端末装置からある曲がリクエストされた場合、センタ装置１には、リクエスト曲に対応する曲番に関するデータ信号が変調された上り制御チャンネルのＲＦ信号が、ケーブル３を介して供給され、センタコントローラ１１が、ＲＦミキサ１４、データモデム１５を介してこのデータ信号を受信する（ステップＳ１１）。
【００４２】
センタコントローラ１１は、このデータ信号を受信すると、ステップＳ１２に移行して、マップメモリ３２中に記憶された、リクエスト曲に対応する曲番を演奏するための演奏装置が有する曲データ（曲番号、曲名、歌手名等に関するデータ）を用いて、リクエスト曲に対応する曲データ中に曲番以外のデータ、例えば、曲名、歌手名等の曲情報３３1 が有るか否かを判断し、曲情報が有る場合は、ステップＳ１５に移行し、リクエスト曲の曲情報に基づくデータ信号をデータモデム１５を介してＲＦミキサ１４に供給することにより生成された下り制御チャンネルのＲＦ信号を、ケーブル３を経由して端末装置に供給する。
【００４３】
この場合、曲をリクエストした端末装置では、供給されたＲＦ信号に基づいて、データモデム２１、コンバータ２２を介し、ＴＶモニタ２４に、供給された曲番以外のデータ、例えば、曲名、歌手名等を表示する。なお、この場合に曲番も同時に表示するようにしても良い。
【００４４】
一方、ステップＳ１２において、リクエスト曲に対応する曲データ中に曲情報が無い場合は、センタコントローラ１１は、ステップＳ１３に移行して、マップメモリ３２中に記憶された、同曲リストデータ３０及び各演奏装置の曲データ３１によって、リクエスト曲と同曲の曲データを全て検索し、次いでステップＳ１４に移行して、同曲の曲データの有無及び、同曲の曲データに曲情報が有るか否かを判断し、同曲の曲データが無い場合及び、同曲の曲データが有っても曲情報が無い場合は、その旨を示すデータ信号をデータモデム１５を介してＲＦミキサ１４に供給することにより生成された下り制御チャンネルのＲＦ信号を、ケーブル３を経由して、端末装置に供給する。
【００４５】
この場合、曲をリクエストした端末装置では、供給されたＲＦ信号に基づいて、ＴＶモニタ２４に、リクエストした曲番自体を表示する。なお、曲情報が無い場合、曲情報に代えてリクエストされた曲番自体を端末装置に供給するようにしても良い。
【００４６】
また、ステップＳ１４において、いずれか同曲の曲データが有り、しかも、同曲の曲データのいずれかに曲情報が有る場合には、ステップＳ１５に移行して、センタコントローラ１１は、リクエスト曲と同曲の曲番に対応する曲の曲情報に基づくデータ信号をデータモデム１５を介してＲＦミキサ１４に供給することにより生成された下り制御チャンネルのＲＦ信号を、ケーブル３を経由して、端末装置に供給する。
【００４７】
この場合、曲をリクエストした端末装置では、供給されたＲＦ信号に基づいて、ＴＶモニタ２４に、供給された曲情報、例えば、曲名、歌手名等を表示する。なお、この場合に曲番も同時に表示するようにしても良い。
【００４８】
このように、本発明の一実施形態におけるカラオケシステムでは、１つの端末装置からある曲がリクエストされた場合、センタコントローラ１１が、マップメモリ１４に記憶された各演奏装置に対応する曲データ３１及び同曲リスト３０に基づいて、リクエスト曲に関する曲情報に対応するデータ信号を端末装置に供給するように制御するので、端末装置側では、リクエストした曲の曲情報が表示可能とすることができる。
【００４９】
以上のように構成したので、リクエストが集中しやすいカラオケメディアに対し、他のカラオケメディアに同一曲が存在する曲がリクエストされた場合に、装置が記憶するマップとカラオケメディアの優先順位を参照することにより、リクエストが集中しやすいカラオケメディアが演奏中でなくても、同一曲を有する他のカラオケメディアによってそのリクエストに対応して同一曲を演奏することができ、全体的に各カラオケメディアの演奏待ち時間が少なくすることができ、カラオケ装置の運用効率を高めることができる。
【００５０】
また、リクエストされたカラオケメディアが、曲名や歌手名等の曲情報を備えていない場合にも、上記のマップを参照することにより、同一曲を有し曲名や歌手名等の曲情報を備えている他のカラオケメディアの曲情報を読出して端末に送出することで演奏する曲の曲情報の表示が可能となり、リクエスト時における曲の確認が容易となり、不要な曲のリクエスト及びキャンセルが少なくなり、全体的に各カラオケメディアの演奏待ち時間が少なくなる。
【図面の簡単な説明】
【００５１】
【図１】本発明の一実施形態におけるカラオケシステムの概略構成ブロック図である。
【図２】本発明の一実施形態におけるカラオケシステムのマップメモリに記憶された同曲リストデータの概念図である。
【図３】本発明の一実施形態におけるカラオケシステムのセンタコントローラが行う演奏装置の選択動作フローチャートである。
【図４】本発明の一実施形態におけるカラオケシステムのセンタコントローラが行う端末装置への曲データの供給動作及び、端末装置が行う曲データの表示動作を示す動作フローチャートである。
【符号の説明】
【００５２】
１・・・・・・・・・センタ装置
２1 〜２n ・・・・・端末装置
３・・・・・・・・・ケーブル
１１・・・・・・・・センタコントローラ
１２1 〜１２m ・・・演奏装置
１３1 〜１３m ・・・変調器
１４・・・・・・・・ＲＦミキサ
１５・・・・・・・・データモデム
２１・・・・・・・・データモデム
２２・・・・・・・・コンバータ
２３・・・・・・・・端末コントローラ
２４・・・・・・・・ＴＶモニタ
２５・・・・・・・・アンプ
２６・・・・・・・・スピーカ装置
２７・・・・・・・・マイクロホン
２８・・・・・・・・ワイヤレス入力装置
２９・・・・・・・・ＦＤ読取装置
３０・・・・・・・・同曲リストデータ
３１・・・・・・・・曲データ
３１1 〜３１m ・・・曲データ
３２・・・・・・・・マップメモリ
３３1 ・・・・・・・曲情報
【図１】
2004355008.tif 000003
【図２】
2004355008.tif 000004
【図３】
2004355008.tif 000005
【図４】
2004355008.tif 000006